(57)【特許請求の範囲】
【請求項１】
セロハンテープ巻体（１）を保持するディスペンサー本体（２）に、テープカッター刃（３）が固着されてセロハンテープ（４）を繰出し切断可能に構成したテープディスペンサーに於て、
上記ディスペンサー本体（２）が上方開口状箱形であって、該ディスペンサー本体（２）の両側壁（５）は、長方形の上辺（６）の前半部に半円状切欠部（７）を有する形状であり、該半円状切欠部（７）に対応した半円状の側片部（11）を有する蓋部材（12）を、上記両側壁（５）に枢着して、該蓋部材（12）を上記半円状切欠部（７）に嵌合させたテープ不使用状態と、上記蓋部材（12）を回転させることにより上記半円状切欠部（７）から離脱させて上記セロハンテープ巻体（１）の後方を被覆状としたテープ使用状態とに、切換え自在に構成し、
さらに、上記ディスペンサー本体（２）の側壁（５）の外面（13）と、上記蓋部材（12）の側片部（11）の外面（14）とが同一鉛直平面状に配設され、テープ不使用状態に於て、側面視長方形に構成し、
かつ、上記セロハンテープ巻体（１）を、上記上辺（６）より上方位置に突出状、又は、上記上辺（６）より下方位置に収納状に切換え可能に保持する保持溝（18）を、上記ディスペンサー本体（２）の両側壁（５）の内面（19）に有することを特徴とするテープディスペンサー。
【請求項２】
上記蓋部材（12）が、不使用状態に於て、上記テープカッター刃（３）の上方を覆う小突片（20）を有する請求項１記載のテープディスペンサー。
【発明の詳細な説明】
【技術分野】
【０００１】
本発明は、テープディスペンサーに関する。
【背景技術】
【０００２】
従来、セロハンテープ巻体を保持するディスペンサー本体に、テープカッター刃が固着されてセロハンテープを繰出し切断可能に構成したテープディスペンサーが公知である（例えば、特許文献１参照）。
【０００３】
しかし、ディスペンサー本体の側壁の外面が非鉛直面や曲面であり、広告宣伝、模様等の印刷を施すのは困難だった。また、側面視が非長方形なので、印刷できるとしても、印刷可能範囲が（同一最大高さに対して）狭いという欠点があった。
【先行技術文献】
【特許文献】
【０００４】
【特許文献１】特開２００１−２６１２１９号公報
【発明の概要】
【発明が解決しようとする課題】
【０００５】
解決しようとする課題は、広告宣伝等の印刷を施すのが困難な点である。また、印刷可能範囲が狭い点である。さらに、大型で外観上凹凸の多い見苦しい形状のものが多かった点である。また、不使用状態に於て、テープカッター刃によって怪我をする虞れがある点である。
【課題を解決するための手段】
【０００６】
そこで、本発明に係るテープディスペンサーは、セロハンテープ巻体を保持するディスペンサー本体に、テープカッター刃が固着されてセロハンテープを繰出し切断可能に構成したテープディスペンサーに於て、ディスペンサー本体が上方開口状箱形であって、ディスペンサー本体の両側壁は、長方形の上辺の前半部に半円状切欠部を有する形状であり、半円状切欠部に対応した半円状の側片部を有する蓋部材を、両側壁に枢着して、蓋部材を半円状切欠部に嵌合させたテープ不使用状態と、蓋部材を回転させることにより半円状切欠部から離脱させてセロハンテープ巻体の後方を被覆状としたテープ使用状態とに、切換え自在に構成し、さらに、ディスペンサー本体の側壁の外面と、蓋部材の側片部の外面とが同一鉛直平面状に配設され、テープ不使用状態に於て、側面視長方形に構成し、かつ、セロハンテープ巻体を、上辺より上方位置に突出状、又は、上辺より下方位置に収納状に切換え可能に保持する保持溝を、ディスペンサー本体の両側壁の内面に有するものである。
【０００７】
また、蓋部材が、不使用状態に於て、テープカッター刃の上方を覆う小突片を有するものである。
【発明の効果】
【０００８】
本発明のテープディスペンサーによれば、側面に容易に印刷することができる。特に、側面全面に印刷可能である。また、（同一高さに対して）広範囲に印刷可能である。さらに、不使用状態では単調な直方体状形状が、使用状態にすると急に変化する驚きを与えることができる。また、不使用状態に於て、セロハンテープ巻体を目隠しすることができてスマートに見える。また、不使用状態に於て、テープカッター刃による怪我をすることを防止することができて安全である。
【図面の簡単な説明】
【０００９】
【図１】本発明のテープ不使用状態を示す側面図である。
【図２】正面図である。
【図３】平面図である。
【図４】セロハンテープ巻体を示す側面図である。
【図５】正面図である。
【図６】図２のＡ−Ａ断面図である。
【図７】使用状態を説明する側面図である。
【図８】テープ使用状態を説明する側面図である。
【図９】テープ使用状態を説明する平面図である。
【発明を実施するための形態】
【００１０】
図１〜図３は、本発明の実施の一形態の不使用状態を示す。このテープディスペンサーは、セロハンテープ巻体１（図４・図５参照）を保持するディスペンサー本体２に、テープカッター刃３が固着されてセロハンテープ４を繰出し切断可能に構成したテープディスペンサーに於て、ディスペンサー本体２が上方開口状箱形であって、ディスペンサー本体２の両側壁５は、長方形の上辺６の前半部に半円状切欠部７を有する形状である。
【００１１】
図４・図５に示すように、セロハンテープ巻体１は、側方突出状回転軸８を有する内回転体９と、内回転体９に遊嵌状に外嵌される環状外回転体10と、外回転体10に巻設されるセロハンテープ４から成る。
【００１２】
半円状切欠部７に対応した半円状の側片部11を有する蓋部材12が、ディスペンサー本体２の両側壁５に枢着されて、蓋部材12を半円状切欠部７に嵌合させたテープ不使用状態（図１〜図３参照）と、蓋部材12を回転させることにより半円状切欠部７から離脱させてセロハンテープ巻体１の後方を被覆状としたテープ使用状態（図８・図９参照）とに、切換え自在に構成される。蓋部材12が、不使用状態に於て、テープカッター刃３の上方を覆う小突片20を有する。
【００１３】
ディスペンサー本体２の側壁５の外面13と、蓋部材12の側片部11の外面14とが同一鉛直平面状に配設される。テープ不使用状態に於て、側面視長方形に構成される。なお、本発明に於て、「長方形」と言う場合、角部アール部15、枢着用突部16、弾発的係止部17等の小さな凹凸は無視するものとする。
【００１４】
図６に示すように、セロハンテープ巻体１を、新品のセロハンテープ巻体１の使用開始時に上辺６より上方位置に突出状、又は、上辺６より下方位置に収納状に切換え可能に保持する保持溝（ガイド溝）18を、ディスペンサー本体２の両側壁５の内面19に有する。すなわち、保持溝18は、先端24の位置の高さが異なる二股状に形成される。図６の２点鎖線は、セロハンテープ巻体１の外形を示す。
【００１５】
図１、図２、及び、図６〜図８に示すように、ディスペンサー本体２の底面21に粘着層22と剥離紙23を順次積層する。剥離紙23を剥離して机等に貼着することにより、片手でも使用することができて至便である。
【００１６】
次に、テープディスペンサーの使用方法について説明する。図１〜図３に示すテープ不使用状態から、セロハンテープ巻体１を保持溝18に沿って持ち上げて保持溝18の上側の先端24に保持させ、図７の矢印にて示すように蓋部材12を回転軸25を中心として回転させ、セロハンテープ４を繰出して、図８及び図９に示すテープ使用状態とすることができる。なお、剥離紙23を剥離して、図８のように、机の上面等に粘着層22にて貼着すると、ディスペンサー本体２は（プラスチック等で軽くても）確実に固定保持される。
【００１７】
図８は、セロハンテープ４をテープカッター刃３（図２・図６参照）にて切断する直前の状態を示す。図８の状態から、図８の矢印Ｙ方向へセロハンテープ４を引張って、セロハンテープ４を切断した後の状態を図９に示す。使用状態に於て、セロハンテープ巻体１が上辺６より上方位置に突出状なので、セロハンテープ４を矢印Ｘ方向（斜め下方向）へ引出すことができ、セロハンテープ４にて切断するのが容易である。
【００１８】
なお、不使用状態に於て、セロハンテープ巻体１が上辺６より少し上方位置に突出状であっても良い。すなわち、セロハンテープ巻体１の最上部が、側壁５の最大高さ（例えば、枢着用突部16の最上部）より低い位置であれば、セロハンテープ巻体１が「上辺６より下方位置に収納状」とみなす。
本発明は、設計変更可能であって、例えば、弾発的係止部17を省略するも良い。また、粘着層22及び剥離紙23を省略するも良い。
【００１９】
以上のように、本発明は、セロハンテープ巻体１を保持するディスペンサー本体２に、テープカッター刃３が固着されてセロハンテープ４を繰出し切断可能に構成したテープディスペンサーに於て、ディスペンサー本体２が上方開口状箱形であって、ディスペンサー本体２の両側壁５は、長方形の上辺６の前半部に半円状切欠部７を有する形状であり、半円状切欠部７に対応した半円状の側片部11を有する蓋部材12を、両側壁５に枢着して、蓋部材12を半円状切欠部７に嵌合させたテープ不使用状態と、蓋部材12を回転させることにより半円状切欠部７から離脱させてセロハンテープ巻体１の後方を被覆状としたテープ使用状態とに、切換え自在に構成し、さらに、ディスペンサー本体２の側壁５の外面13と、蓋部材12の側片部11の外面14とが同一鉛直平面状に配設され、テープ不使用状態に於て、側面視長方形に構成したので、側面（すなわち、側壁５の外面13、及び、側片部11の外面14）に容易に広告宣伝、模様等を印刷することができる。特に、側面全面に印刷可能である。また、（同一最大高さに対して）広範囲に印刷可能である。また、不使用状態では単調な直方体状形状が、使用状態にすると急に変化する驚きを与えることができる。
【００２０】
また、セロハンテープ巻体１を、上辺６より上方位置に突出状、又は、上辺６より下方位置に収納状に切換え可能に保持する保持溝18を、ディスペンサー本体２の両側壁５の内面19に有するので、不使用状態に於て、セロハンテープ巻体１を目隠しすることができてスマートに見える。
また、蓋部材12が、不使用状態に於て、テープカッター刃３の上方を覆う小突片20を有するので、不使用状態に於て、テープカッター刃３による怪我をすることを防止することができて安全である。
【符号の説明】
【００２１】
１  セロハンテープ巻体
２  ディスペンサー本体
３  テープカッター刃
４  セロハンテープ
５  側壁
６  上辺
７  半円状切欠部
11  側片部
12  蓋部材
13  外面
14  外面
18  保持溝（ガイド溝）
19  内面
20  小突片
【図１】
0005550707.tif 000002
【図２】
0005550707.tif 000003
【図３】
0005550707.tif 000004
【図４】
0005550707.tif 000005
【図５】
0005550707.tif 000006
【図６】
0005550707.tif 000007
【図７】
0005550707.tif 000008
【図８】
0005550707.tif 000009
【図９】
0005550707.tif 000010